(57)【要約】【課題】  広い照明範囲を確保することを可能とするとともに、収納時における投光面の保護を確実に行わせることが可能となる投光機を提供することを目的としている。【解決手段】  台車１０と、発電装置１２と、伸縮支柱２０と、照明装置３０と、を備える投光機Ｔにおいて、前記照明装置３０は、伸縮支柱２０の上端部に水平方向に回動自在に取り付けられている第１支持部材４１と、第１支持部材４１に対して直交するように、その中間部が取り付けられている複数本の第２支持部材４２と、各第２支持部材４２の両端部に、水平方向及び鉛直方向に回動自在となるように取り付けられている灯具３１と、を有しており、灯具３１は、不使用時には各第２支持部材４２に取り付けられている一対の灯具３１が各々の投光面３２が向き合うようにして、収納可能となるように構成されていることを特徴としている。【選択図】      図１
2005158316.tif 000002
【特許請求の範囲】
【請求項１】
台車と、前記台車に搭載されている発電装置と、前記台車に伸縮自在に立設されている支柱と、前記支柱に取り付けられている照明装置と、を備える投光機において、
前記照明装置は、
前記支柱の上端部において、水平方向に回動自在に取り付けられている第１支持部材と、
前記第１支持部材に対して直交するように、その中間部が取り付けられている複数本の第２支持部材と、
前記各第２支持部材の両端部に、水平方向に回動自在、かつ、鉛直方向に回動自在となるように取り付けられている灯具と、を有しており、
前記灯具は、投光面が矩形形状に形成されており、
不使用時には、前記各第２支持部材に取り付けられている一対の前記灯具は、各々の投光面が向き合うようにして、収納可能となるように構成されていること、
を特徴とする投光機。
【請求項２】
前記灯具は、投光面となる開口部を有する箱形形状である反射体と、前記開口部を閉塞する閉塞部材と、前記反射体の内部に設けられる照明体と、を有し、
前記不使用時には、一対の前記灯具は、各々の投光面に隙間が生じない状態で、かつ、各々向き合うようにして、収納可能となるように構成されていること、
を特徴とする請求項１に記載の投光機。
【発明の詳細な説明】
【技術分野】
【０００１】
本発明は、台車に立設した支柱に照明装置を装備した投光機に関する。
【背景技術】
【０００２】
屋外における夜間の道路工事や建設現場用等の照明装置として、エンジン駆動発電機（以下「発電機」という）を供給電源とした各種の投光機が存在している。従来の投光機は、スポット的な照明を行うことを主目的としていたため、内部にランプを収納した略円錘台筒形状の灯具が使用されていた。
【０００３】
それに対し、近年は、光公害防止や通行者の眩惑防止の観点からソフトで面的な照明が求められており、様々な形態の照明装置、灯具が開発されている。投光機においても同様の照明が求められ、例えば、図７に示されている投光機Ｔ’では薄い円椀形の灯具が用いられている。
この投光機Ｔ’は、発電機１１２等が搭載され車輪１１１を有する台車１１０と、当該台車１１０に取り付けられた伸縮可能な柱部１２０と、当該柱部１２０の上端に継手部１４０を介して取り付けられている照明部１３０と、を備えている。
【０００４】
前記照明部１３０は、前面（投光面）１３２がガラスで閉塞された椀形で薄型の反射体と、この反射体の横方向に突出し内部にソケットを有するソケット収容部分とから形成されている灯具１３１とを有しており、灯具１３１内において筒形のランプが反射体の前面のガラスに平行に配置され、灯具１３１の回動軸がランプ光軸と平行になるように継手部１４０に取り付けられている。
この継手部１４０は、柱部１２０の上端において水平方向に回動可能に装着されている横ア−ム１４１と、当該横ア−ム１４１の両端において、その長手方向軸線を中心に回動可能に装着されているア−ム継手１４３と、ア−ム継手１４３に横ア−ム１４１の長手方向軸線に対して垂直方向に装着され、横ア−ム１４１の長手方向軸線に対して垂直の軸線を中心に回動可能に装着されている縦ア−ム１４２とを有しており、縦ア−ム１４２の端部において、灯具１３１が縦ア−ム１４２の長手方向軸線と直交する軸線を中心にして回動可能となるように装着されている（特許文献１参照）。
【特許文献１】特開平１１−７８２７号公報（［００１１］−［００２２］、図１−図８）
【発明の開示】
【発明が解決しようとする課題】
【０００５】
しかし、前記投光機Ｔ’では、各灯具１３１をそれぞれ独立して水平方向に回動させることができないために、広い照射範囲を確保することができないという問題点を有していた。
また、前記投光機Ｔ’では、各縦アーム１４２に取り付けられている灯具１３１の投光面が向き合うように収納が可能であるが、相互の灯具１３１の間に大きな隙間が生じるため、搬送時において、石跳ね等による飛来物により、灯具１３１の投光面１３２のガラスが破損する恐れがあるという問題点を有していた。
【０００６】
本発明は、前記各問題点を解決するためになされたものであり、広い照明範囲を確保することを可能とするとともに、収納時における投光面の保護を確実に行わせることが可能となる投光機を提供することを目的としている。
【課題を解決するための手段】
【０００７】
前記課題を解決するために、本発明の投光機は、台車と、前記台車に搭載されている発電装置と、前記台車に伸縮自在に立設している支柱と、前記支柱に取り付けられている照明装置と、を備える投光機において、前記照明装置は、前記支柱の上端部において、水平方向に回動自在に取り付けられている第１支持部材と、前記第１支持部材に対して直交するように、その中間部が取り付けられている複数本の第２支持部材と、前記各第２支持部材の両端部に、水平方向に回動自在、かつ、鉛直方向に回動自在となるように取り付けられている灯具と、を有しており、前記灯具は、投光面が矩形形状に形成されており、不使用時には、前記各第２支持部材に取り付けられている一対の前記灯具は、各々の投光面が向き合うようにして、収納可能となるように構成されていることを特徴としている。
【０００８】
また、前記投光機において、前記灯具は、投光面となる開口部を有する箱形形状である反射体と、前記開口部を閉塞する閉塞部材と、前記反射体の内部に設けられる照明体と、を有し、前記不使用時には、一対の前記灯具は、各々の投光面に隙間が生じない状態で、かつ、各々向き合うようにして、収納可能となるように構成すれば、コンパクトに収納可能となるとともに、搬送時等において、石跳ね等による飛来物により、灯具の閉塞部材ならびに照明体が破損することを防止することができるため好適である。
【０００９】
ここで、閉塞部材は、照明体の明かりを透過させることができ、照明体の発熱等により変形、劣化することがない材料であれば材質等は問われるものではないが、耐候性ならびに安全性の点から、強化ガラスを使用することが望ましい。なお、閉塞部材を用いずに投光面を開口したままとする場合もある。
また、「各々の投光面に隙間が生じない状態で」とは、一対の灯具の間に完全に隙間が生じないことを意味するのではなく、若干の隙間が生じることは許容されるものである。
【発明の効果】
【００１０】
本発明によれば、投光面が矩形形状に形成されている各灯具を、水平方向に独立して回動させることにより、所望の位置に配置することができるため、広い照射範囲を確保することができる。また、不使用時には、投光面を隙間が生じないように向き合わせて収納することで、搬送時などにおいて、石跳ね等による飛来物により、灯具の閉塞部材ならびに照明体が破損することを防止することが出来る。
【発明を実施するための最良の形態】
【００１１】
本発明を実施するための最良の一形態（以下「実施形態」という）について、図面を参照して詳細に説明する。
説明において、図１は本発明の投光機を示す側面図、図２は同正面図、図３は同平面図であり、また、図４は照明装置の取付状況を示す拡大斜視図、図５は投光機の収納状態を示す側面図である。
【００１２】
［全体構成］
図１及び図２に示すように、本発明の投光機Ｔは、複数個の車輪１１によって移動自在である台車１０上に設置された発電機１２（発電装置）と、当該発電機１２の後方で台車１０に立設した伸縮支柱２０と、当該伸縮支柱２０の上端に取り付けられている照明装置３０と、を主要部としており、伸縮支柱２０を上下方向に伸縮させることで、発電機１２と電源ケーブル（図示せず）を介して接続されている照明装置３０の高さを調節し、所定の場所を照射することができるようになっている。
【００１３】
前記台車１０の後端部には、移動用ハンドル１４とアウトリガ１５が設けられている。そして、台車１０の前端縁に近接して、防音ケース１２ａに収納された発電機１２が載置されており、当該発電機１２と移動用ハンドル１４との間には、四角筒状の伸縮支柱２０が立設している。
【００１４】
この伸縮支柱２０は、外側の固定支柱２１と、当該固定支柱２１の中空部に内嵌され、昇降自在となっている第１可動支柱２５と、当該第１可動支柱２５の中空部に内嵌され、昇降自在となっている第２可動支柱２７と、から構成されている。また、第２可動支柱２７は、さらに下側第２可動支柱２７ｂと上側第２可動支柱２７ａとに分割されており、下側第２可動支柱２７ｂの中空部に上側第２可動支柱２７ａが内装され、上下方向に伸縮可能に構成されている。
前記第１可動支柱２５及び第２可動支柱２７の上端部には、各々四角筒状の上枠２６が固着されている。また、固定支柱２１の周囲には、四角筒状の第１下枠２３と第２下枠２４が当該固定支柱２１の壁面に沿って摺動自在に設けられており、第１可動支柱２５の上枠２６と固定支柱２１の第１下枠２３と、第２可動支柱２７の上枠２６と固定支柱２１の第２下枠２４とが各々連結管２８（２８ａ及び２８ｂ）で連結されている。そして、固定支柱２１の第１下枠２３及び第２下枠２４には、２本一対の昇降ハンドル２９がそれぞれ固着されており、当該昇降ハンドル２９を把持しながら第１可動支柱２５及び第２可動支柱２７を所定位置に昇降させることができるようになっている。
なお、符号２２は、固定支柱２１の上枠である。
【００１５】
［照明装置］
図３に示すように、前記照明装置３０は、支持台４０と、当該支持台４０に取り付けられている４個の灯具３１と、を備えている。
支持台４０は、Ｈ字形状に形成されており、当該支持台４０のＨ字形状の横方向を構成する第１支持部材４１と、縦方向を形成する２本の第２支持部材４２とから形成されており、当該第１支持部材４１は、その中央部（以下「第１支点」という）４５において、第２可動支柱２７の上端部に取り付けられている取付架台４３を介して水平方向に３６０度に渡って回動自在となるように支持されている（図２参照）。そして、第１支持部材４１の両端部には、細長形状である第２支持部材４２が、水平部の中間部が第１支持部材４１に直交するように水平に固定されており、当該各第２支持部材４２の両端部の下面には、アーム４４を介して、灯具３１が、使用時において、当該投光面３２が下向きになるように取り付けられている（図１又は図２参照）。
【００１６】
ここで、第１支点４５は、図４に示すように、取付架台４３を介して第２可動支柱２７の上端部に支持されている。第２可動支柱２７の上端部には、上枠２６が取り付けられており、上枠２６にはその上部に図示しない円柱形部材が突出する形で固定されている。また、取付架台４３は、第１支持部材４１の下方から突出する円筒管の部材であり、上枠２６の円柱形部材に外嵌されている。取付架台４３の側面に固定ハンドル４３ａを螺挿させ、固定ハンドル４３ａの先端部で上枠２６の円柱形部材の側面を押し付けることにより、照明装置３０の位置決めを行うことができるようになっている。この固定ハンドル４３ａを緩めることにより、簡単に照明装置を回動させることができる。
【００１７】
灯具３１は、扁平なバケット形状（箱形形状）であり、図３に示すように、投光面３２となる開口部が矩形形状（四隅の角部は曲線形状を有している）に形成されている反射体３３と、当該開口部を閉塞する強化ガラス（閉塞部材）３４と、反射体３３における長辺側（平面視）の一方の側面部に取り付けられているソケット３６に装着されている筒状のランプ（照明体）３５等を備えている。
なお、符号３６ａは、ソケット３６の端部を覆うホルダー、３６ｂは、ソケット３６と接続されている口出し線である。
【００１８】
前記ランプ３５は、反射体３３におけるソケット３６の取付面と直交する一側面（以下「後面」という）と平行となる方向に取り付けられており、反射体３３におけるソケット３６に対向する側面部には、開閉蓋を備えるランプ交換口３８が開閉自在に設けられている。反射体３３の後面には、２枚の取付片３７が突設されており、当該取付片３７が門型形状のアーム４４の鉛直部の先端（以下「第２支点」という）４６に、鉛直方向において、回動自在（投光面３２が水平となる位置を基準として下側に９０度、上側に３５度の範囲）に取り付けられている（図４参照）。また、アーム４４の水平部の中間部（以下「第３支点」という）４７は、第２支持部材４２に対して水平方向において約４５度の範囲で回動自在に第２支持部材４２に取り付けられている。
【００１９】
ここで、本実施の形態における取付片３７は、図４に示すように、灯具３１の後面に取り付けるための取付部３７ａと、その中心に図示しないボルト挿通孔を有する軸受部３７ｂと、軸受部３７ｂのアーム４４側と反対側の面のボルト挿通孔に対応する位置に設けられたボルト受け３７ｃとからなる。そして、ボルト３７ｄは、アーム４４の外側面から、第２支点４６に設けられた図示しないボルト挿通孔と軸受部３７ｂの挿通孔とに挿通され、ボルト受け３７ｃに螺合されている。なお、１つの灯具３１が有する２枚の取付片３７，３７のいずれか一方には、軸受部３７ｂと第２支点４６との間に、軸受部３７ｂよりも大きな内径を有する半円形の目盛板３７ｅが取り付けられている。さらに、目盛板３７ｅの上方のアーム４４の鉛直部内側には、目盛板３７ｅの外周部を挟持するストッパ３７ｆがストッパハンドル３７ｈを介して取り付けられている。ストッパハンドル３７ｈは、その先端にネジ加工が施された、略Ｌ字型に形成された鋼棒からなり、アーム４４の鉛直部を挿通してナット３７ｇによりストッパ３７ｆを挟持するように取り付けられている。したがって、ストッパハンドル３７ｈを操作することにより、ストッパ３７ｆが緩まり、ボルト３７ｄを軸としてアーム４４に取り付けられている灯具３１の回動が可能となっている。
【００２０】
また、図４に示すように、第２支持部材４２の先端部とアーム４４の水平部の中間部はボルト４７ａを挿通させてナット４７ｂにより螺合することで固定されている。そして、第３支点４７を支点として灯具３１を回動する時には、ナット４７ｂを緩めることにより行うことができるようになっている。
また、第２支持部材４２とアーム４４との間にジュラコンワッシャ等を介装させ、ボルト４７ａとナット４７ｂを適度な締付け力で螺合することにより、ナット４７ｂを緩めることなく第３支点４７を支点として灯具３１を回動できるようにすることも可能である。
ここで、第２支点４６及び第３支点４７における、各部材の取付方法は上記方法に限定されるものではなく、両支点４６，４７における回動を阻害しなければ、如何なる取付方法を採用してもよい。
なお、図面の符号４３ｂは、各灯具３１から配線されるそれぞれの口出し線３６ｂと、台車に搭載された発電装置から立ち上げられた電源ケーブルとを接続するコネクタを収めた配線接続箱である。
【００２１】
一本の第２支持部材４２の両端部には、回動自在になるように灯具３１の後面部が取り付けられている。各第２支持部材４２の同一方向端に設置される灯具３１は、通常時（第３支点４７における回転が無く、第２支持部材４２とアーム４４とが直角をなしている状態）においてそのそれぞれの後面部が各々内側となる向き（第２支持部材４２側）となるように取り付けられている。そして、第２支持部材４２の長さと灯具３１の高さを適切に定めることにより、不使用時には、第２支持部材４２に取り付けられている一対の前記灯具３１の先端（後面部と対向する側面、以下同じ）を、下向き９０度回動させ、各々の投光面３２が略隙間無く向き合うようにした状態で、収納できるようになっている（図５参照）。
このように構成されている各灯具３１は、第１支持部材４１の第１支点４５を中心に３６０度に渡って４個の灯具３１，３１，…が一体的に回動自在であり、第２支持部材４２の第３支点４７を中心に個々の灯具３１が４５度の範囲でその位置を変更可能となっている。
【００２２】
［作用及び効果］
本発明の投光機Ｔは、図６に示すように、使用目的に応じて、各灯具３１の向きを所望の位置に回動させた後に、第１可動支柱２５及び第２可動支柱２７を所定高さに上昇させて照射を行うことにより、種々の範囲で照射範囲を変更することができる。
【００２３】
例えば、平面視で各灯具３１が第１支持部材４１の第１支点４５を中心として対称となる位置とするとともに、各灯具３１の投光面３２が設置面に対して水平になるようにすれば、下方を均等に照射することができる（図６（ａ））。
また、各灯具３１を第２支点４６を中心にして上向きに回動させ、投光面３２の先端を斜め上向きになるようにしたり（図６（ｂ））、各灯具３１を第３支点４７を中心に水平方向に回動させることにより、照射範囲を拡大することができる（図３）。
【００２４】
さらに、第２支持部材４２における一方の灯具３１を、第２支点４６を中心にして投光面３２の先端を斜め上向きに回動させるようにするとともに、他方の灯具３１を、第２支点４６を中心にして投光面３２の先端を斜め下向きに回動させることにより、台車１０の略片側の領域を照射範囲とすることができる（図６（ｃ））。この場合には、相互の灯具３１を第２支持部材４２により、第１支持部材４１に対して対称となる位置に配置していることから、互いの灯具３１及び伸縮支柱２０が影になることがなく、照射を確実に行うことができる。
【００２５】
一方、使用後は、第１可動支柱２５及び第２可動支柱２７を最下部にまで降下させ、各灯具３１が４個並列になるように、第１支持部材４１の第１支点４５及び第２支持部材４２の第３支点４７を中心にそれぞれ水平方向に回動させる。そして、各第２支持部材４２における両方の灯具３１を、第２支点４６を中心にして投光面３２の先端を斜め下向きに９０度回動させ、各々の投光面３２に隙間が生じないように、各々向き合うようにして収納する（図５参照）。
このようにすることにより、コンパクトに収納可能となるとともに、搬送時等において、石跳ね等による飛来物により、灯具３１の閉塞部材３４ならびにランプ３５が破損することを防止することができる。
【００２６】
さらに、本発明の投光機Ｔによれば、各灯具３１を水平方向の所望の位置に回動させることができるため、ランプ３５の交換作業時に隣接する灯具３１や取付架台４３等が邪魔することがないため、容易に行うことができる。
また、本発明の投光機Ｔによれば、各灯具３１の回動機構を簡易な構造とすることができることから、製造費用を低減させることができる。
【００２７】
以上、本発明について、好適な実施形態の一例を説明した。しかし、本発明は、前記実施形態に限られず、前記の各構成要素については、本発明の趣旨を逸脱しない範囲で、適宜設計変更が可能である。
特に、第２支持部材は２本以上であればよく、灯具についても、各第２支持部材の数に応じて、４個以上の偶数個設けることができる。
【図面の簡単な説明】
【００２８】
【図１】本発明の投光機を示す側面図である。
【図２】本発明の投光機を示す正面図である。
【図３】本発明の投光機を示す平面図である。
【図４】本発明の照明装置の取付状況を示す拡大斜視図である。
【図５】本発明の投光機の収納状態を示す側面図である。
【図６】（ａ）〜（ｃ）共に本発明の投光機の使用状態を示す側面図である。
【図７】従来の投光機を示す側面図である。
【符号の説明】
【００２９】
Ｔ      投光機
１０    台車
１２    発電機（発電装置）
２０    伸縮支柱（支柱）
３０    照明装置
３１    灯具
３２    投光面
３３    反射体
３４    強化ガラス（閉塞部材）
３５    ランプ（照明体）
４１    第１支持部材
４２    第２支持部材
【図１】
2005158316.tif 000003
【図２】
2005158316.tif 000004
【図３】
2005158316.tif 000005
【図４】
2005158316.tif 000006
【図５】
2005158316.tif 000007
【図６】
2005158316.tif 000008
【図７】
2005158316.tif 000009